(57)【特許請求の範囲】
【請求項１】
主幹ブレーカと、
主幹ブレーカの負荷側端子に一端が各々接続される複数の接続バーと、
前記接続バーの他端と各々接続され、互いに厚み方向に沿って対向して配設される長尺状の複数の導電バーと、
前記導電バーの長手方向に並設されて、導電バーに各々接続される複数の分岐ブレーカとを中空箱状の筐体内に備え、
前記接続バーは、主幹ブレーカの負荷側端子に一端が接続されるバー本体と、バー本体の他端からバー本体の一面側へ向かって延設される延設部と、延設部の端部に設けられて導電バーと接続される接続部とから形成され、バー本体の他面側に放熱フィンが設けられることを特徴とする分電盤。
【発明の詳細な説明】
【技術分野】
【０００１】
本発明は、分電盤に関するものである。
【背景技術】
【０００２】
従来より、この種の分電盤としては、図５に示すような盤本体１内部に主幹ブレーカ２と、接続バー３３と、導電バー４と、分岐ブレーカ５とを備えたものが提供されている（例えば、特許文献１参照）。以下、図４における上下左右を基準とする。
【０００３】
まず、盤本体１は、筐体１１と図示しない蓋部とから構成され、筐体１１は矩形の底板１１ａの周縁から周壁１１ｂが略垂直に突出して一面を開口した略矩形箱状に形成され、筐体１１の開口部にはヒンジ構造を有する蓋部が覆設され開閉可能となっている。また、底板１１ａの４隅には、スペーサ６が固定されており、スペーサ６を介して筐体１１の長手方向に長尺状に形成された一対のブラケット７が配設されている。さらに、一対のブラケット７には、筐体１１の一面に対して垂直な向きに、複数のねじ穴７ａが設けられており、一対のブラケット７間に中板１８、１９、１０がそれぞれ所定の間隔を空けて上から順に架設され、ねじ穴７ａにねじ留めによって固定されている。
【０００４】
次に、主幹ブレーカ２は、前面に操作部であるハンドル部２ｃを突出し、後面を中板１８、１９に対向させてねじ留めにより中板１８、１９に固定され、３極の２次端子２ｂには接続バー３３の一端が各々接続される。
【０００５】
３つの導電バー４は、長手方向に沿って６つの略矩形状の通気孔４ａが穿設された長尺板状に形成される。そして、導電バー４の一端に設けられた樹脂等の非導電性材料から形成された支持部材１４及び、導電バー４の他端に設けられた樹脂等の導電性材料から形成された一対の支持台１５により、互いに厚み方向に沿って隙間を介して対向して配設され、長手方向を筐体１１の長手方向に向けて中板１０の略中央に配置される。また、接続バー３３の他端と導電バー４の一端が、支持部材１４でねじ１６によりそれぞれ共締めされることで接続され、各導電バー４は、主幹ブレーカ２の２次端子２ｂに電気的に接続される。また、導電バー４の長手方向に沿った各側縁には、分岐ブレーカ５が１２個ずつ長手方向に沿って配設される。
【０００６】
分岐ブレーカ５は、前面に操作部であるハンドル部５ｄを突出し、後面を中板１０に対向させて、図示しない２極の端子部が導電バー４にプラグイン接続された後、中板１０に固定される。
【０００７】
また、一対のブラケット７の内、右側のブラケット７の上下両端近傍にはヒンジ部材２０がそれぞれ設けられ、左側のブラケット７の上下両端近傍には受け部材２１が設けられ、図示しない中蓋が、ヒンジ部材２０によって開閉可能な状態で設けられる。ここで、中蓋には、所定の位置に複数の逃がし穴が穿設されているため、中蓋が閉じられている際にも、主幹ブレーカ２のハンドル部２ｃ及び、分岐ブレーカ５のハンドル部５ｄが中蓋の逃がし穴から突出し、ハンドル操作が可能となっている。
【特許文献１】特許第４０５１８９６号公報
【発明の開示】
【発明が解決しようとする課題】
【０００８】
近年、分電盤の小型大容量化が進み、分電盤に設けられた主幹ブレーカ２から接続バー３３に流れる電流値が増大したことで、接続バー３３の発熱が大きくなり、接続バー３３で発生した熱が導電バー４へ伝達し、導電バー４周辺が高温となって導電バー４に接続されている分岐ブレーカ５が誤作動を起こす恐れがある。
【０００９】
本発明は、上記事由に鑑みてなされたものであり、その目的は、導電バー周辺の温度上昇を抑制して分岐ブレーカの誤作動を防止した分電盤を提供することにある。
【課題を解決するための手段】
【００１０】
請求項１の発明は、主幹ブレーカと、主幹ブレーカの負荷側端子に一端が各々接続される複数の接続バーと、前記接続バーの他端と各々接続され、互いに厚み方向に沿って対向して配設される長尺状の複数の導電バーと、前記導電バーの長手方向に並設されて、導電バーに各々接続される複数の分岐ブレーカとを中空箱状の筐体内に備え、前記接続バーは、主幹ブレーカの負荷側端子に一端が接続されるバー本体と、バー本体の他端からバー本体の一面側へ向かって延設される延設部と、延設部の端部に設けられて導電バーとを接続される接続部とから形成され、バー本体の他面側に放熱フィンが設けられることを特徴とする。
【００１１】
この発明によれば、前記複数の接続バーが、放熱フィンを有することで、接続バーで発生した熱が放熱フィンによって放熱されて接続バーの温度上昇が抑えられ、接続バーから導電バーに伝達する熱が抑制される。更に一面に放熱フィンが設けられる接続バーのバー本体と、導電バーが接続される接続部とが、バー本体の端部からバー本体の他面方向へ延設されて先端に接続部が設けられた延設部によって離れた位置に設けられるため、放熱フィンと導電バーとの距離を離すことができ、放熱フィンから放出された熱気が、導電バー周辺に伝わり難い構造となっている。以上のことから、導電バー周辺の温度上昇が抑制され、導電バーに接続される分岐ブレーカの誤作動を防止することができる。
【発明の効果】
【００１２】
以上説明したように、本発明では、導電バー周辺の温度上昇を抑制して分岐ブレーカの誤作動を防止することができるという効果がある。
【発明を実施するための最良の形態】
【００１３】
以下、本発明の実施の形態を図面に基づいて説明する。
【００１４】
（実施形態）
本実施形態における分電盤について、図１〜４を用いて説明を行う。以下、図１における上下左右を基準とし、上下左右方向と直交する方向を前後方向とする。
【００１５】
本実施形態における、分電盤は、盤本体１と、盤本体１内部に配設される主幹ブレーカ２と、主幹ブレーカ２に一端が各々接続される３つの接続バー３と、接続バー３の他端が各々接続され、１つが中性極用バー４Ａ（導電バー４Ａ）、残りの２つが電圧極用バー４Ｂ（導電バー４Ｂ）、電圧極用バー４Ｃ（導電バー４Ｃ）に用いられる３つの導電バー４と、樹脂等の非導電性材料から形成されて３つの導電バー４の一端がそれぞれ絶縁された状態で支持される支持部材１４と、樹脂等の非導電性材料から形成されて導電バー４の他端がそれぞれ絶縁された状態で支持される支持台１５と、２極の端子部が設けられて中性極用バー３Ａと電圧極用バー３Ｂまたは３Ｃとが各極にそれぞれ接続される２４個の分岐ブレーカ５とを備える。
【００１６】
まず、盤本体１は、筐体１１と筐体１１に覆設される蓋部１２とで構成され、筐体１１は、矩形の底板１１ａの周縁から周壁１１ｂが略垂直に突出して一面を開口した略矩形箱状に形成されており、開口面にはヒンジ構造を有する蓋部１２が覆設されて開閉可能となっている。また、底板１１ａの四隅には、樹脂等により略円筒状に形成されたスペーサ６が固定されており、上下方向に長い一対の長尺状のブラケット７がスペーサ６を介して配設されている。ブラケット７には、上下方向に沿って、前後方向に複数のねじ穴７ａが複数設けられ、一対のブラケット７間の上方には、上から順に所定の間隔を空けて中板８，９が直接架設されてねじ穴７ａにねじ留めによって固定される。そして、中板８，９には、主幹ブレーカ２が配設される。
【００１７】
主幹ブレーカ２は、図示しない３線式の電源線が接続されて１００／２００Ｖの電源が供給される３極の１次端子部２Ａが一端に設けられており、３つの１次端子２ａが等間隔に配設されている。ここで、中央の１次端子２ａは外部電源からの中性線が接続される中性極で、その両側の１次端子２ａは外部電源からの電圧線が接続される電圧極となっている。そして、主幹ブレーカ２の他端には、接続バー３を介して３つの導電バー４にそれぞれ接続される３極の２次端子部２Ｂが配設されており、２次端子部２Ｂについても、３つの２次端子２ｂが等間隔に配設されており、中央の２次端子２ｂは中性極で、その両側の２次端子２ｂは電圧極である。また、主幹ブレーカ２の前面の略中央には、１次端子部２Ａと２次端子部２Ｂとの端子間の導通、遮断を切り替える操作ハンドル部２ｃが設けられており、後面は中板８，９に対向して配設され後面の１次端子側は中板８にねじ留めにより固定され、後面の２次端子側は中板９にねじ留めにより固定される。
【００１８】
次に、前記一対のブラケット７の下方には、一方片１７ａと、他方片１７ｂ、と一方片１７ａ及び他方片１７ｂを接続する連結部１７ｃとから断面略コの字状に形成される支持部材１７がそれぞれ取り付けられている。支持部材１７の一方片１７ａ及び他方片１７ｂには、上下方向に沿って、前後方向に複数のねじ穴１７ｄが複数設けられ、一対の支持部材１７間には、中板１０が架設されてねじ穴１７ｄにねじ留めによって固定される。つまり、中板１０は、支持部材１７を介した分だけ、前記中板８，９よりも前方に配設される。そして、中板１０には、導電バー４と支持部材１４と支持台１５と分岐ブレーカ５とが配設される。
【００１９】
導電バー４は、銅等の平角導体から電流容量に応じた幅の長尺状に形成されて、一端に短手方向に沿ってねじ１６が挿通する２つの図示しない挿通孔が設けられ、３つの導電バー４は、互いに厚み方向に沿って隙間を介して対向して配設され、長手方向を筐体１１の長手方向に向けて中板１０の略中央に配設される。ここで、中性極用バー４Ａは、電圧極用バー４Ｂと４Ｃとの間に配設され、電圧極用バー４Ｂが筐体１０の開口面に最も近い側に配設される。さらに、中性極用バー４Ａは、接続バー３を介して主幹ブレーカ２の２次端子部２Ｂにおける中性極に接続され、電圧極用バー４Ｂ、４Ｃはそれぞれ接続バー３を介して主幹ブレーカ２の２次端子部２Ｂにおける電圧極に各々接続される。そして、各導電バー４の長尺方向の一端は、支持部材１４に支持固定され、他端は一対の支持台１５によって支持固定される。
【００２０】
支持部材１４は、導電バー４の一端に配設され、導電バー４の一端がそれぞれ厚み方向に隙間を介して支持され、導電バー４の一端と接続バー３の他端とが、ねじ１６によって共締めされることで電気的に接続される。
【００２１】
支持台１５は、導電バー４の他端に配設され、各導電バー４の他端がそれぞれ厚み方向に隙間を介して支持され、分離絶縁される
分岐ブレーカ５は、一端側側面に導電バー４が嵌合する３つの切り欠き部５ａを備え、その内の２つに導電バー４と接続される電源端子部５ｂが設けられる。そして、分岐ブレーカ５の他端側側面には外部負荷等に接続される２つの負荷側端子部５ｃを備える。また、分岐ブレーカ５の前面には、電源側端子部５ｂと負荷側端子部５ｃとの端子間を導通、遮断する操作ハンドル部５ｄが設けられている。さらに、分岐ブレーカ５は、導電バー４の長尺方向に沿って導電バー４の各長辺側に電源端子部５ｂを対向させた状態で１２個ずつ並設されており、電源端子部５ｂの２つの電極にはそれぞれ導電バー４の中性極用バー４Ａと電圧極用バー４Ｂまたは４Ｃとがプラグイン接続される。
【００２２】
そして上記のように、支持部材１７を介してブラケット７に固定された中板１０が、ブラケット７に直接固定された中板８，９よりも前方に設けられているため、中板１０に配設された導電バー４と分岐ブレーカ５とは、中板８，９に配設された主幹ブレーカ２よりも前方に位置する。
【００２３】
さらに、分岐ブレーカ５にプラグイン接続される導電バー４と、主幹ブレーカ２の２次側端子２ｂとを接続する接続バー３は、図４に示す通り、上下方向に長い一方片３ａ１と一方片３ａ１の下端より右方向へ延設された他方片３ａ２とから略Ｌ字状に形成されて一方片３ａ１の端部が主幹ブレーカ２の２次側子部２Ｂに接続されるバー本体３ａと、バー本体３ａの他方片３ａ２の端部より前方へ延設される延設部３ｂと、延設部３ｂの端部と導電バー４の一端とを接続する接続部３ｃとが銅等の導電性材料から形成されている。また、バー本体３ａの一方片３ａ１の後面には、放熱フィン１３が設けられている（図２参照）。
【００２４】
放熱フィン１３は、直方体型のベース部１３ａの後面より複数の矩形平板状の放熱板１３ｂが、左右方向に等間隔に突設されており、接続バー３で発生した熱を放熱する機能を有する。
【００２５】
上記の構成により、本実施形態における分電盤においては、通電時に各接続バー３の発熱によって生じた熱が、接続バー３の後面に設けられた放熱フィン１３によって放熱されることで、接続バー３の温度上昇を抑えることができ、接続バー３から導電バー４へ伝達する熱を抑制することができる。また、放熱フィン１３が、接続バー３のバー本体３ａの後面側に設けられ、導電バー４が接続バー３の前面側の離れた位置に設けられることで、導電バー４からより離れた位置で放熱が行われるため、導電バー４周辺に熱気が伝わり難い構造となっている。従って、導電バー４周辺の温度上昇が抑制され、導電バー４にプラグイン接続されている分岐ブレーカ５の誤作動を防止することができる。
【００２６】
また、前記一対のブラケット７の内、右側のブラケット７の上下両端近傍には、支持台２２がそれぞれ設けられて前端に中蓋２２を回動自在に支持するヒンジ部材２０が設けられる。また、左側のブラケット７の上下両端近傍には、支持台２３がそれぞれ設けられ、筐体１１内部の機器類を覆設する中蓋２２を係止する、または係止状態を解除するロック機構を有した受け部２１が前端にそれぞれ設けられる。ここで、中蓋２２には、所定の位置に複数の逃がし穴が穿設されているため、中蓋が閉鎖されている際にも、主幹ブレーカ２の操作ハンドル部２ｃ及び、分岐ブレーカ５の操作ハンドル部５ｄが中蓋の逃がし穴から前方に突出し、ハンドル操作が可能となっている。
【図面の簡単な説明】
【００２７】
【図１】実施形態における分電盤の正面図である。
【図２】同上における分電盤のＡ−Ａ断面図である。
【図３】同上における分電盤の中蓋閉鎖時の正面図である。
【図４】同上における接続バーの斜視図である。
【図５】従来例における分電盤の正面図である。
【符号の説明】
【００２８】
１  筐体
２  主幹ブレーカ
３  接続バー
３ａ  バー本体
３ｂ  延設部
３ｃ  接続部
４  導電バー
５  分岐ブレーカ
１３  放熱フィン
【図１】
0004764453.tif 000002
【図２】
0004764453.tif 000003
【図３】
0004764453.tif 000004
【図４】
0004764453.tif 000005
【図５】
0004764453.tif 000006